(57)【要約】【課題】身の回りに存在する慣性運動現象を活用し、無公害の発電電力を提供する。【解決手段】振子の慣性運動現象を活用し、此の運動作用を往復運動として、スライド式のリニアー発電素子の移動エネルギーに転換し、周囲コイルに生ずる起電力を集約発電する。又、振子の慣性運動を反転式の回転運動に変換し、反転式リニア−発電機の発電素子の往復運動による起電現象を活用し集約発電する。【選択図】図３
2012246824.tif 000002
【特許請求の範囲】
【請求項１】
振子形状の発電台板にスライド式のリニアー発電機を複数積載し、この台板が前後に振子慣性運動をする事により、台板上のリニアー発電機の発電素子か、往復運動をする。
此の動作により、周囲の発電コイルに起電現象が生ずる。この電気を集約し電力として活用する発電方法。
【請求項２】
構造体上部に取付けられ軸受けに支持される回転軸に、固定された円形リブが回転軸より吊下られた振子の往復慣性運動により、反回転する作用を活用し、基部に設置された
反転式リニア−発電機が半回転の往復運動をする。此の動作により反転式リニァ−発電機の発電素子も往復運動を行い起電現象が発生する、此の作用を活用集約し電力とする発電方法。
【請求項３】
上記１、２の発電装置上部に太陽光発電シートを積載し、全体としての発電効率を高める様にした、合成発電装置。
【発明の詳細な説明】
【技術分野】
【０００１】
本発明はリニアー発電機と慣性運動エネルギーを活用する無公害発電方法に関するものである。
【背景技術】
【０００２】
従来の発電は水力、火力、原子力、風力、地熱等各種有るが、いずれも回転運動による発電方式で僅かに近年、太陽光発電が登場したか、夜間発電は不可能である。
【０００３】
水力発電は大型ダムを構築する場合、莫大な土木工事が必要であり、水没地区の補償等も生じ、完成までの期間が長期に及ぶ。
【０００４】
火力発電は化石燃料を燃焼するため二酸化炭素の排出を免れない。石炭、油田、天然ガスのどれも無限ではなく、いずれ枯渇する事は明確で有る。
【０００５】
バイオマス発電は火力発電の―種であるが、バイオ燃料も森林破壊や食料、飼料等との競合になり、世界的に考慮すれば人類や家畜、その他の動物、植物に多大の負担を与る。
【０００６】
原子力発電は燃料ウランはプルトニュウムに変換され、再利用可能との事であるそうだが地震、津波等の想定外の天災により大事故が発生すれば、制御不能となり放射能が広範囲に長期間にわたり諸々の大被害を及ぼす。
【０００７】
風力発電は風力が一定せず安定発電が不可能であり又、大型風車の近隣では低周波障害等が発生する場合がある。また大型になると落雷が多くなると伝え聞く。
【０００８】
海上風力発電は海中建柱方式と、台船または浮揚台型に分別されるが、我国ではいずれ
も漁業権、航路権等により最適風況地点での設置は困難であり、余り発展展開が困難です
【０００９】
地熱発電は最適地の殆どが国立公園や温泉地等に抵触し容易に適地を獲得する事が困難で有り。主として東北と九州に設されている様で有るか、あまり発展が見込み薄い感じ。
【００１０】
太陽光発電は近年急速に拡張されつつあり、二酸化炭素の発生も無く、無公害との事で有るか、広大な面積を必要とし、夜間は発電不能で有る。
【００１１】
海水面の上下作用を活用した浮休式波力発電装畫としては、空気の圧縮を行い、これによリタービンーを回転させる方式のもの等が  研究中で、未だ実用化されていない。
【００１２】
潮流発電や波浪発電等も話題になるも、未だ実用化されて商用営業された施設は公開されていなく、研究段階の繰り返しの様である。
【発明の開示】
【発明が解決しようとする課題】
【００１３】
日本国内の各種発電設備は上記の各項目に記載した如く、いずれも諸々の問題点が有り完全なものでは無い。
【００１４】
各種火力発電はいずれも二酸化炭素を発生を皆無にするは不可能、全燃料は有限です。
【００１５】
原子力発電は立地条件が大量の冷却水を必要とする為、海岸に設置せざるを得ない、又現存の原子力発電所は殆どが、地震断層帯の上、若しくはその近隣地上に立地して居る。
その為、地震、津波専の大規模な天然災害か発生する恐れは今後も皆無とは言えぬ。
【００１６】
太陽光発電以外の発電は全て、水力、火力、原子力、風力等により発生するエネルギーにより、回転式発電機を回転させて電力を得る方式である。
【課題を解決するための手段】
【００１７】
従来の回転型発電機は複雑な構造上、鉄芯にに巻付けたコイルが不可欠で、その鉄芯が鉄芯損の発生源となっている、又、此の鉄芯に磁力線が近接する事象が、コキングトルクの原因であり、負荷エネルギ−の増加要因である。
【００１８】
深考すれば、コイルに対し磁力線が交差移動する現象が起電力を生ぜしめるので、其の原理が保持可能ならば、鉄芯損を生じさせる鉄芯を排除した起電装置が可能となる。
【００１９】
上述の条件を検討すれば我国の発電資源は、自然の運動エネルギーを活用する事こそ唯―の方法である。
【００２０】
従来の各種回転式発電装置とは異なり、振子形状の発電台上に複数のスライド式リニアー発電機を積載し、この台板が前後に振子運動をする事により、台板上のリニアー発電機の発電子が往復運動する。この動作により周辺の発電コイルに起電現象が生ずる、此の電気を集約し、電力として活用する発電方法で、エネルギー原価は只のゼロ円でしかも無限のエネルギーです。
【００２１】
回転軸に複数列取付けられた反転式リニアー発電機が反転運動を繰返す事により、各発電素子が、往復運動する時、発電子コイルに起電現象が生ずる、此の電気を集約し電力として活用する発電方法。
【００２２】
前述の発電装畫上部に太陽光発電シートを積載し、全体としての発電効率を高める様にした、合成発電装置。
【００２３】
上記の発電方式は無限の可能性を有する画期的な新しい未来志向の発電方式であり、世界のエネルギー問題は素より、二酸化炭素による公害問題、あるいはバイオマス発電に関する自然破壊の防止、食料問嫌解決と、多方面にわたりー挙解決の糸口と成るものと思考します。  
【００２４】
上記の各発電方式の発電装倫は大変単純な構造で"日何なる低開発地域でも、設置、保守、修理等が簡単に実施可能です。
【図面の簡単な説明】
【００２５】
【図１】図１は振子型リニアー発電装置を示す正面図
【図２】図２は振子型リニアー発電装置を示す側面図
【図３】図３は反転型リニアー発電装置を示す側面図
【図４】図４は発電系統図
【符号の説明】
【００２６】
１．リニアー発電機      
２．トランス                      
３．整流器                        
４．バッテリー                    
５．送電制御器                    
６．インバーター                  
７．交直変換システム（２〜６）    
８．振り子型発電台板              
９．振子型発電台板支持具          
１０．振子型発電台支持回転軸
１１．振子回転軸
１２．軸受ベアリング
１３．ベアリング固定金具
１４．振子型発電装置支持フレ−ム
１５．反発スプリング
１６．起動用ロ−プ
１７．ロ−プバランス
１８．ロ−プ滑車
１９．反転型フライホイル取付フレ−ム
２０．反転型フライホイル兼用プ−リドラム
２１．伝導ベルト
２２．反転型リニア−発電機取付円盤兼プ−リドラム
２３．反転型リニア−発電機回転軸
２４．反転型リニア−発電機据付台
２５．反転型リニア−発電機振子
【図１】
2012246824.tif 000003
【図２】
2012246824.tif 000004
【図３】
2012246824.tif 000005
【図４】
2012246824.tif 000006
【手続補正書】
【提出日】平成24年2月8日(2012.2.8)
【手続補正１】
【補正対象書類名】図面
【補正対象項目名】図１
【補正方法】変更
【補正の内容】
【図１】
2012246824.tif 000007
【手続補正２】
【補正対象書類名】図面
【補正対象項目名】図３
【補正方法】変更
【補正の内容】
【図３】
2012246824.tif 000008